(57)【特許請求の範囲】
【請求項１】
カードが挿入される挿入口と、この挿入口に連結されるとともに前記カードが搬送される搬送部と、この搬送部の終端に設けられるとともに前記カードが一時保留される一時保留部と、この一時保留部に保留された前記カードが積層収納される収納部と、この収納部に積層収納されたカードの最上部のカード上に載置された錘と、前記一時保留部から前記収納部へカードを移動させる収納手段と、前記収納部と前記一時保留部を一体化して、本体部から着脱自在なカード収納ユニットと、このカード収納ユニットが装着される本体部に設けられ、前記カード収納ユニットの有無を検出する第１の検出手段とを備え、前記収納手段には水平方向へ摺動可能に設けられたカード保持爪を設け、前記カード保持爪が左右に移動せずに垂直方向へ上昇して、前記積層収納されたカードをカード保持爪にて上方に持上げることにより、前記一時保留部を形成するとともに、この一時保留部に前記カードが挿入された後、自由落下による衝撃を小さくするために前記カード保持爪を水平方向に摺動させるとともに、斜め方向に滑り降ろさせることにより、前記カード保持爪が前記積層収納されたカードを保持した状態のままで降下し、その後に前記カード保持爪が前記カード外側へ外されて前記カードがカード保持爪から外れて自由落下して前記カードが前記収納部に収納され、前記カードが前記収納部へ収納された後に前記カード保持爪はさらに降下し、前記カード保持爪が最も下方に移動したときに前記カード保持爪を前記水平方向に摺動することにより前記カード保持爪は最下層のカードの下方において前記カードの内側へと突出するカード収納装置において、前記錘の厚さは一時保留部の入口の厚さより厚くするとともに、前記一時保留部にはカード検知センサを設け、前記錘には前記カード検知センサの不感知部を設けたカード収納装置。
【請求項２】
カード収納ユニットにカードが積層収納されるとともに、その側面には前記カードの収納量を検出する位置に窓が設けられ、前記カード収納ユニットが装着される本体部には前記窓を介して前記カードの収納量を検出する第２の検出手段が設けられた請求項１に記載のカード収納装置。
【請求項３】
第１の検出手段は支軸を中心に回動する検出レバーと、この検出レバーを検知する光センサとから成り、前記支軸は前記検出レバーと一体成形された請求項１に記載のカード収納装置。
【請求項４】
支軸先端の断面形状は略長方形にするとともに、前記支軸が挿入される受け軸には前記長方形の短辺側が挿入されるスリットが設けられた請求項３に記載のカード収納装置。
【発明の詳細な説明】
【０００１】
【発明の属する技術分野】
本発明は、たとえば遊技場に設置されたカード精算機等に接続して使用されるカード収納装置に関するものである。
【０００２】
【従来の技術】
従来のカード収納装置は、カード収納装置本体とカードが積層収納される収納部とは一体に設けられていた。また、このカード収納装置におけるカードの収納は、収納部に積層収納されたカードを板カムで持上げ、その下に空間を形成し、その空間にカードを搬送し、その後、持上げたカードを自由落下させてカードを収納するものであった。なお、これに関連する技術として、例えば特開平１０−２０３７３９号公報などがある。
【０００３】
【発明が解決しようとする課題】
しかしながら、このような従来の構成ではカード収納装置とカード収納部とが一体化されていたため、カードの取り扱いは不便であった。また、積層収納されたカードが多量になると最下層のカードに大きな荷重がかかり、持上げる際に板カムがカード端面を摺動するため、カード端面にひずみや摩耗を生じさせたり、カードを持上げた位置から自由落下により降下させるため、大きな衝撃を与える恐れがあった。
【０００４】
本発明はこのような問題点を解決するもので、カードの取り扱いを容易にするとともにカードに大きな負荷を与えることなく、多数枚のカードを積層収納するカード収納装置を提供することを目的としたものである。
【０００５】
【課題を解決するための手段】
上記目的を達成するため、本発明のカード収納装置は、カードが挿入される挿入口と、この挿入口に連結されるとともに前記カードが搬送される搬送部と、この搬送部の終端に設けられるとともに前記カードが一時保留される一時保留部と、この一時保留部に保留された前記カードが積層収納される収納部と、この収納部に積層収納されたカードの最上部のカード上に載置された錘と、前記一時保留部から前記収納部へカードを移動させる収納手段と、前記収納部と前記一時保留部を一体化して、本体部から着脱自在なカード収納ユニットと、このカード収納ユニットが装着される本体部に設けられ、前記カード収納ユニットの有無を検出する第１の検出手段とを備え、前記収納手段には水平方向へ摺動可能に設けられたカード保持爪を設け、前記カード保持爪が左右に移動せずに垂直方向へ上昇して、前記積層収納されたカードをカード保持爪にて上方に持上げることにより、前記一時保留部を形成するとともに、この一時保留部に前記カードが挿入された後、自由落下による衝撃を小さくするために前記カード保持爪を水平方向に摺動させるとともに、斜め方向に滑り降ろさせることにより、前記カード保持爪が前記積層収納されたカードを保持した状態のままで降下し、その後に前記カード保持爪が前記カード外側へ外されて前記カードがカード保持爪から外れて自由落下して前記カードが前記収納部に収納され、前記カードが前記収納部へ収納された後に前記カード保持爪はさらに降下し、前記カード保持爪が最も下方に移動したときに前記カード保持爪を前記水平方向に摺動することにより前記カード保持爪は最下層のカードの下方において前記カードの内側へと突出するカード収納装置において、前記錘の厚さは一時保留部の入口の厚さより厚くするとともに、前記一時保留部にはカード検知センサを設け、前記錘には前記カード検知センサの不感知部を設けたものであり、これにより、カードの取り扱いを容易にするとともに、カードに大きな負荷を与えることなく、多数枚のカードを積層収納することが可能である。
【０００６】
【発明の実施の形態】
本発明の請求項１に記載の発明は、カードが挿入される挿入口と、この挿入口に連結されるとともに前記カードが搬送される搬送部と、この搬送部の終端に設けられるとともに前記カードが一時保留される一時保留部と、この一時保留部に保留された前記カードが積層収納される収納部と、この収納部に積層収納されたカードの最上部のカード上に載置された錘と、前記一時保留部から前記収納部へカードを移動させる収納手段と、前記収納部と前記一時保留部を一体化して、本体部から着脱自在なカード収納ユニットと、このカード収納ユニットが装着される本体部に設けられ、前記カード収納ユニットの有無を検出する第１の検出手段とを備え、前記収納手段には水平方向へ摺動可能に設けられたカード保持爪を設け、前記カード保持爪が左右に移動せずに垂直方向へ上昇して、前記積層収納されたカードをカード保持爪にて上方に持上げることにより、前記一時保留部を形成するとともに、この一時保留部に前記カードが挿入された後、自由落下による衝撃を小さくするために前記カード保持爪を水平方向に摺動させるとともに、斜め方向に滑り降ろさせることにより、前記カード保持爪が前記積層収納されたカードを保持した状態のままで降下し、その後に前記カード保持爪が前記カード外側へ外されて前記カードがカード保持爪から外れて自由落下して前記カードが前記収納部に収納され、前記カードが前記収納部へ収納された後に前記カード保持爪はさらに降下し、前記カード保持爪が最も下方に移動したときに前記カード保持爪を前記水平方向に摺動することにより前記カード保持爪は最下層のカードの下方において前記カードの内側へと突出するカード収納装置において、前記錘の厚さは一時保留部の入口の厚さより厚くするとともに、前記一時保留部にはカード検知センサを設け、前記錘には前記カード検知センサの不感知部を設けたカード収納装置であり、カード収納ユニットが一体化されるとともにカード収納ユニットを本体部から取外すことが可能であり、取り扱いが便利である。
【０００７】
また、カードの収納動作においては、まずカード保持爪によってカードを上方に持上げるとき、カード保持爪がカード表面を摺動することなく持上げるので、カードにひずみや摩耗を生じさせにくく、またカードの下降時にはカード保持爪をカードの外部に外しつつ下降させるので、自由落下による衝撃が少なくて済む。また、収納手段にはカード保持爪を用いているので、収納手段のためのスペースは少なくて良く、多数枚のカードを積層収納することが可能である。
【０００８】
さらに、積層収納された最上部のカード上には錘が載置されるので、特に積層収納されたカードの枚数が少ないとき、それらのカードを安定した状態に保つことができる。
【０００９】
さらにまた、一時保留部にはカード検知センサを設け、錘には前記カード検知センサの不感知部が設けられているので、カードが有る状態においては、カードが有ることを検出するとともに、錘のみが収納されてカードが無い状態においてはカード検知センサが反応しないものである。
【００１０】
それに加えて、錘の厚さは一時保留部の入口の厚さより厚くしたので、カード収納ユニットから錘が脱落することを防ぐものである。
【００１１】
また、カード収納ユニットが装着される本体部には、前記カード収納ユニットの有無を検出する検出手段が設けられているので、カード収納ユニットが本体部に取付けられているか否かを検知することができる。
【００１２】
本発明の請求項２に記載の発明は、カード収納ユニットにカードが積層収納されるとともに、その側面には前記カードの収納量を検出する位置に窓が設けられ、前記カード収納ユニットが装着される本体部には前記窓を介して前記カードの収納量を検出する第２の検出手段が設けられた請求項１に記載のカード収納装置であり、カード収納ユニットの窓の位置におけるカードの有無が検出できるので、カードの収納量に応じて適切な処理をとることができる。
【００１３】
本発明の請求項３に記載の発明の第１の検出手段は、支軸を中心に回動する検出レバーと、この検出レバーを検知する光センサとから成り、前記支軸は前記検出レバーと一体成形された請求項１に記載のカード収納装置であり、簡素な部品構成でカード検出或いは、カード収納ユニットの検出が可能となり、低価格化を図ることができる。
【００１４】
本発明の請求項４に記載の発明は、支軸先端の断面形状は略長方形にするとともに、前記支軸が挿入される受け軸には前記長方形の短辺側が挿入されるスリットが設けられた請求項３に記載のカード収納装置であり、長方形状の短辺側をスリットに合わせて挿入するので、挿入し易く抜けにくいものである。
【００１５】
以下、本発明の一実施の形態について図面を用いて説明する。図１は本発明の実施の形態におけるカード収納装置側面の部分破砕側面図である。
【００１６】
図１において、１はカード２の挿入口であり、この挿入口１に連結してカード２の搬送部３が設けられている。この搬送部３の終端にはカードの一時保留部４が設けられている。この一時保留部４に挿入されたカード２はカード保持爪５でカード収納ユニット６の収納部７側へ収納手段８により収納される。９は本体部１１に設けられるとともに、収納部７の底面から積層収納されたカード２の有無を検知するカード検知センサである。１０は一時保留部４の搬送部３側に設けられたカード２の入口である。また、このカード収納ユニット６は本体部１１に着脱自在に設けられている。本体部１１の背面には検出手段１２が４個設けられている。この検出手段１２は、光センサ１３の光をレバーで遮ることにより検出を行っている。なお、この検出手段１２については図３で説明する。
【００１７】
次に、図２を用いてカード収納ユニット６について説明する。図２はカード収納ユニット６の斜視図である。カード収納ユニット６は略直方体形状をしており、その前面には樹脂で形成された透明な蓋１４が開閉自在に設けられている。この蓋１４は上下方向に移動可能であるとともに支点１５を中心に回動して開けることができる。１６は蓋１４のロック手段である。このロック手段１６については図４で後述する。
【００１８】
蓋１４の前面にはカード収納ユニット６の内部が詳細にわかるように略楕円形をした孔１７が３個等間隔に設けられている。また、このカード収納ユニット６に収納されたカード２の概略枚数を知るために、刻印１８が設けられている。従って、この刻印１８により内部にカード２が略何枚あるか知ることができる。
【００１９】
また、この積層収納された最上部のカード２上には錘１９が載置されている。この錘１９についても図５で後述する。２０はカード収納ユニット６の上方からカード２が流出しないように設けられた上面の蓋である。
【００２０】
カード収納ユニット６の下方には一時保留手段４が設けられており、２１はこの一時保留手段４へ本体部１１から搬送されるカード２が挿入されるときの入口となっている。２２は一時保留部４に設けられた４個の孔であり、この孔２２に本体部１１に設けられた収納手段８の一部を構成するカード保持爪５が挿入されてカード２を持上げる。なお、この機構については図６以降で詳細に説明する。
【００２１】
カード収納ユニット６の上方には取っ手２３が前方と後方の中心よりも少し前方よりに設けられている。このことにより、取っ手２３でカード収納ユニット６を持上げたとき後方のほうが重くなり、入口２１が斜め上方に傾くことになる。従って、カード２が入口２１から流出することを防ぐ。
【００２２】
また、カード収納ユニット６の側面２４は平面形状にしており、このことによりカード収納ユニット６を縦、または横に倒すことにより安定して載置される。従ってこの状態にして、収納部７内のカード２を回収することができる。背面には窓２５が３個設けられ、この窓２５から検出手段１２により積層収納されたカード２の枚数の概略を検知することができる。
【００２３】
次に、図３を用いて検出手段１２について説明する。図３は検出手段１２の斜視図である。本体部１１には受軸２６を設け、この受軸２６にはスリット２７が設けられている。この受軸２６にはレバー本体３１が取付けられ、バネ２８により矢印２８ａの方向に付勢されている。そして、ストッパ２９により本体部１１に係止される。レバー本体３１は支軸３０を中心に回動し、その略中央には検出レバー３１ａが設けられている。そして、この検出レバー３１ａの有無を発光ダイオードと受光ダイオードを用いて光学的に検出している。
【００２４】
また、支軸３０の先端３２は断面が略長方形をしており、この長方形の短辺３２ａをスリット２７に合わせて受軸２６に挿入し、本体部１１に取付ける。挿入後、支軸３０がストッパ２９で止まるまでバネ２８の力で回動して停止する。従って、この状態ではスリット２７からレバー本体３１が外れることはない。
【００２５】
このように構成された検出手段１２は、本体部１１に４個設けられており、その内３個はカード収納ユニット６の窓２５に対応した位置に設けられている。そして、その窓２５におけるカード２の有無を検出する。その他の１個は、カード収納ユニット６の側板に対応する位置に設けられ、カード収納ユニット６の有無を検出する。
【００２６】
次に図４（ａ）から図４（ｃ）を用いてロック手段１６について説明する。ロック手段１６はカード収納ユニット６前面の略中央と下方とに夫々設けられている（図２）。このロック手段１６は図４（ａ）に示すように側面２４に凹部３３ａ，３３ｂを形成し、この凹部３３ａの略中心には凸部３４ａが形成されている。また、凹部３３ｂには略中央まで伸びた爪３４ｂが形成されている。蓋１４の側面には突起３５ａ，３５ｂが形成されている。ここで、図４（ｂ）は蓋１４を閉じた状態を示している。
【００２７】
その後、蓋１４を矢印Ｙの方向に降ろし、突起３５ａが凸部３４ａを乗り越えようとしているのが図４（ｂ）である。さらに矢印Ｙの方向に蓋１４を降下させると、突起３５ｂが爪３４ｂにより保持されロックが完了する。そのようすを図４（ｃ）に示す。
【００２８】
即ち、ロック完了後、蓋１４は凸部３４ａと爪３４ｂにより係止され、蓋１４を矢印Ｙと反対方向に持上げないと開かない構造となっている。
【００２９】
次に図５を用いて錘１９について説明する。図５は錘１９の斜視図である。この錘１９はカード収納ユニット６内に積層収納されたカード２の最上部に載置されるものである。この錘１９の厚さ３６は入口２１の厚さよりも厚くしている。このことにより錘１９はカード収納ユニット６の入口２１から流出することを防止している。
【００３０】
また、３７は錘１９の四隅に設けられた孔であり、不感知部を形成している。カード２がカード収納ユニット６内に収納されず、錘１９のみのときは、カード検知センサ９のレバーは不感知部３７内に侵入することにより、錘１９に当接しない。即ち、カード２が検知されず、カード収納ユニット６内にカード２が空であることを示す。また、孔３７は錘１９の４隅に設けられている。従って、錘１９をどの方向でカード収納ユニット６に入れても良いことになる。
【００３１】
次にカード収納手段８について説明する。図６は収納手段８の上下移動部８ａを最も下方に移動させたときの断面図である。５はカード保持爪であり、上下移動部８ａの内部であって、水平方向に摺動可能に設けられている。そしてこのカード保持爪５は、その中央部に設けられた係止部４５でクラッチ３８の爪３９で保持されている。また、上下移動部８ａは、図には現れていないがバネにより収納部７側に付勢されている。この状態においては、カード保持爪５は最下層のカード２の下方内側に孔２２を貫通して突出している。ここで、このカード保持爪５は、カード２の４隅近傍を支えるために４個設けられている。このことにより、カード２を安定して上下させることができる。
【００３２】
なお、この状態においては、一時保留部４は形成されていない。
【００３３】
次に、上下移動部８ａが上昇し、カード保持爪５によりカード２を少し持上げた状態が図７である。このときクラッチ３８の先端に設けられた爪３９にカード保持爪５の係止部４５が当接して押し上げることにより、支軸４０を中心にクラッチ３８がＦ方向に回動する。カード保持爪５はカード２を保持したまま、左右には移動せず垂直方向である矢印Ａの方向に上昇する。このことにより一時保留部４が形成し始める。
【００３４】
そして、図８に示すように、上下移動部８ａが上昇を終え、クラッチ３８の爪３９がカード保持爪５の係止部４５から外れ、クラッチ３８はバネ４１により元の位置に戻される。積層収納されたカード２の下方には一時保留部４が形成される。そして、この一時保留部４にカード２が搬送され停止する。
【００３５】
次に、搬送されたカード２を収納部７側に移す動作が開始される。即ち、上下移動部８ａを図９に示すように矢印Ｂの方向に降下させる。上下移動部８ａがＢ方向に降下するとカード保持爪５の係止部４５に設けられたカム面４２とクラック３８の先端の爪３９に設けられたカム面４３が当接し、カード保持爪５はカム面４３を矢印Ｃの方向に滑りながら下降する。
【００３６】
このようにして、積層収納されたカード２を保持しながら降下することにより、図１０に示すように、収納部７のカード２と一時保留部４のカード２とが一緒になる。即ち、一時保留部４のカード２が収納部７に収納されることになる。このような動作をするため積層収納されたカード２がカード保持爪５から外れて自由落下する距離が極めて短くて済む。図１０はカード保持爪５が矢印Ｄの方向に最も移動し、カード２が収納部７に収納された状態を示している。
【００３７】
図１０の位置から更に上下移動部８ａが降下すると、カード保持爪５の係止部４５がクラッチ３８の爪３９から外れバネの力により図１１に示すように矢印Ｅの方向に移動し、図６に示す元の位置へ戻る。
【００３８】
【発明の効果】
以上のように本発明のカード収納装置は、カードが挿入される挿入口と、この挿入口に連結されるとともに前記カードが搬送される搬送部と、この搬送部の終端に設けられるとともに前記カードが一時保留される一時保留部と、この一時保留部に保留された前記カードが積層収納される収納部と、この収納部に積層収納されたカードの最上部のカード上に載置された錘と、前記一時保留部から前記収納部へカードを移動させる収納手段と、前記収納部と前記一時保留部を一体化して、本体部から着脱自在なカード収納ユニットと、このカード収納ユニットが装着される本体部に設けられ、前記カード収納ユニットの有無を検出する第１の検出手段とを備え、前記収納手段には水平方向へ摺動可能に設けられたカード保持爪を設け、前記カード保持爪が左右に移動せずに垂直方向へ上昇して、前記積層収納されたカードをカード保持爪にて上方に持上げることにより、前記一時保留部を形成するとともに、この一時保留部に前記カードが挿入された後、自由落下による衝撃を小さくするために前記カード保持爪を水平方向に摺動させるとともに、斜め方向に滑り降ろさせることにより、前記カード保持爪が前記積層収納されたカードを保持した状態のままで降下し、その後に前記カード保持爪が前記カード外側へ外されて前記カードがカード保持爪から外れて自由落下して前記カードが前記収納部に収納され、前記カードが前記収納部へ収納された後に前記カード保持爪はさらに降下し、前記カード保持爪が最も下方に移動したときに前記カード保持爪を前記水平方向に摺動することにより前記カード保持爪は最下層のカードの下方において前記カードの内側へと突出するカード収納装置において、前記錘の厚さは一時保留部の入口の厚さより厚くするとともに、前記一時保留部にはカード検知センサを設け、前記錘には前記カード検知センサの不感知部を設けたカード収納装置であり、カード収納ユニットが一体化されるとともに、カード収納ユニットを本体部から取外すことが可能であり、取り扱いが便利である。
【００３９】
また、カード保持爪によってカードを上方に持上げるとともに、カードの下降時にはカード保持爪でカードを外部に外しつつ下降させるので、カードに大きな負荷を与えることはない。また、収納手段にはカード保持爪を用いているので、収納手段のためのスペースは少なくて良く、多数枚のカードを積層収納することが可能である。
【００４０】
さらに、積層収納された最上部のカード上には錘が載置されるので、特に積層収納されたカードの枚数が少ないとき、それらのカードを安定した状態に保つことができる。
【００４１】
さらにまた、一時保留部にはカード検知センサを設け、錘には前記カード検知センサの不感知部が設けられているので、カードが有る状態においては、カードが有ることを検出するとともに、錘のみが収納されてカードが無い状態においてはカード検知センサが反応しないものである。
【００４２】
それに加えて、錘の厚さは一時保留部の入口の厚さより厚くしたので、カード収納ユニットから錘が脱落することを防ぐものである。
【００４３】
また、カード収納ユニットが装着される本体部には、前記カード収納ユニットの有無を検出する検出手段が設けられているので、カード収納ユニットが本体部に取付けられているか否かを検知することができる。
【図面の簡単な説明】
【図１】  本発明の一実施の形態におけるカード収納装置側面の部分破砕側面図
【図２】  同、カード収納ユニットの斜視図
【図３】  同、検知手段の斜視図
【図４】  （ａ）同、ロック手段の作用状態１を示す側面図
（ｂ）同、作用状態２を示す側面図
（ｃ）同、作用状態３を示す側面図
【図５】  同、カード収納ユニットに用いる錘の斜視図
【図６】  同、収納手段の作用状態１を示す断面図
【図７】  同、作用状態２を示す断面図
【図８】  同、作用状態３を示す断面図
【図９】  同、作用状態４を示す断面図
【図１０】  同、作用状態５を示す断面図
【図１１】  同、作用状態６を示す断面図
【符号の説明】
１  挿入口
２  カード
３  搬送部
４  一時保留部
５  カード保持爪
６  カード収納ユニット
７  収納部
８  収納手段
９  カード検知センサ
１０  入口
１１  本体部
１２  検出手段
１３  光センサ
【図１】
0003941373.tif 000002
【図２】
0003941373.tif 000003
【図３】
0003941373.tif 000004
【図４】
0003941373.tif 000005
【図５】
0003941373.tif 000006
【図６】
0003941373.tif 000007
【図７】
0003941373.tif 000008
【図８】
0003941373.tif 000009
【図９】
0003941373.tif 000010
【図１０】
0003941373.tif 000011
【図１１】
0003941373.tif 000012